【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
複数の走査電極および維持電極を有するプラズマディスプレイパネルを駆動する駆動回路であって、
高圧側に配置された主スイッチング素子と、低圧側に配置された主スイッチング素子とを含み、第１電源からの出力電圧に基づいて前記主スイッチング素子を動作させることでパルス電圧を生成し、該パルス電圧を前記プラズマディスプレイパネルの走査電極および／または維持電極に対して印加するパルス電圧発生回路と、
前記第１電源の出力電圧よりも高い電圧を出力する第２電源からの出力電圧に基づいて初期化電圧を生成し、前記プラズマディスプレイパネルに対して印加する初期化電圧発生回路とを備え、
前記パルス電圧発生回路は、前記初期化電圧発生回路が出力する電圧が前記第１電源に逆流するのを防止する第１ダイオード（Ｄ１１）と、該第１のダイオードに並列に接続された第１スイッチング素子（Ｓ１１）とを含む、
プラズマディスプレイパネルの駆動回路。
【請求項２】
前記第１ダイオードのアノード側に前記高圧側主スイッチング素子を配置した、請求項１記載のプラズマディスプレイパネルの駆動回路。
【請求項３】
前記第１ダイオードのカソード側に前記高圧側主スイッチング素子を配置した、請求項１記載のプラズマディスプレイパネルの駆動回路。
【請求項４】
前記プラズマディスプレイパネルの容量性負荷に蓄えられた電力を回収する電力回収回路をさらに備え、
該電力回収回路は、前記第１ダイオードのアノード端子及びカソード端子のいずれか一方に接続された、請求項２または３に記載のプラズマディスプレイパネルの駆動回路。
【請求項５】
前記プラズマディスプレイパネルの容量性負荷に蓄えられた電力を回収する電力回収回路をさらに備え、
該電力回収回路は、前記パルス電圧発生回路と前記プラズマディスプレイとの間の主放電経路内に接続された、請求項２または３に記載のプラズマディスプレイパネルの駆動回路。
【請求項６】
前記プラズマディスプレイパネルの容量性負荷から回収した電力を前記プラズマディスプレイパネルに供給する電力回収回路をさらに備え、
該電力回収回路は、前記第１のダイオードのアノード端子及びカソード端子のいずれか一方に接続された、請求項２または３に記載のプラズマディスプレイパネルの駆動回路。
【請求項７】
前記プラズマディスプレイパネルの容量性負荷から回収した電力を前記プラズマディスプレイパネルに供給する電力回収回路をさらに備え、
該電力回収回路は、前記パルス電圧発生回路と前記プラズマディスプレイとの間の主放電経路内に接続された、請求項２または３に記載のプラズマディスプレイパネルの駆動回路。
【請求項８】
複数の走査電極および維持電極を有するプラズマディスプレイパネルを駆動する駆動回路であって、
高圧側に配置された主スイッチング素子と、低圧側に配置された主スイッチング素子とを含み、第１電源からの出力電圧に基づいて前記主スイッチング素子を動作させることでパルス電圧を生成し、該パルス電圧を前記プラズマディスプレイパネルの走査電極および／または維持電極に対して印加するパルス電圧発生回路と、
前記第１電源の出力電圧よりも低い電圧を出力する第３電源からの出力電圧に基づいて第２の初期化電圧を生成し、前記プラズマディスプレイパネルに印加する第２初期化電圧発生回路と、
前記第２初期化電圧発生回路が出力する電圧が前記第１電源に逆流するのを防止する第２ダイオード（Ｄ１２）と、
該第２のダイオードに並列に接続された第２スイッチング素子（Ｓ１２）とを含む、
プラズマディスプレイパネルの駆動回路。
【請求項９】
前記第２ダイオードのカソード側に前記低圧側主スイッチング素子を配置した、請求項８記載のプラズマディスプレイパネルの駆動回路。
【請求項１０】
前記第２ダイオードのアノード側に前記低圧側主スイッチング素子を配置した、請求項８記載のプラズマディスプレイパネルの駆動回路。
【請求項１１】
前記プラズマディスプレイパネルの容量性負荷に蓄えられた電力を回収する電力回収回路をさらに備え、
該電力回収回路は、前記第２ダイオードのアノード端子及びカソード端子のいずれか一方に接続された、請求項９または１０に記載のプラズマディスプレイパネルの駆動回路。
【請求項１２】
前記プラズマディスプレイパネルの容量性負荷に蓄えられた電力を回収する電力回収回路をさらに備え、
該電力回収回路は、前記パルス電圧発生回路と前記プラズマディスプレイとの間の主放電経路内に挿入された、請求項９または１０に記載のプラズマディスプレイパネルの駆動回路。
【請求項１３】
前記プラズマディスプレイパネルの容量性負荷から回収した電力を前記プラズマディスプレイパネルに供給する電力回収回路をさらに備え、
該電力回収回路は、前記第２ダイオードのアノード端子及びカソード端子のいずれか一方に接続された、請求項９または１０に記載のプラズマディスプレイパネルの駆動回路。
【請求項１４】
前記プラズマディスプレイパネルの容量性負荷から回収した電力を前記プラズマディスプレイパネルに供給する電力回収回路をさらに備え、
該電力回収回路は、前記パルス電圧発生回路と前記プラズマディスプレイとの間の主放電経路内に挿入された、請求項９または１０に記載のプラズマディスプレイパネルの駆動回路。
【請求項１５】
複数の走査電極および維持電極を有するプラズマディスプレイパネルを駆動する駆動回路であって、
高圧側に配置された主スイッチング素子と、低圧側に配置された主スイッチング素子とを含み、第１電源からの出力電圧に基づいて前記主スイッチを動作させることでパルス電圧を生成し、該パルス電圧を前記プラズマディスプレイパネルの走査電極および／または維持電極に対して印加するパルス電圧発生回路と、
前記第１電源の出力電圧よりも高い電圧を出力する第２電源からの出力電圧に基づいて初期化電圧を生成し、前記プラズマディスプレイパネルに対して印加する初期化電圧発生回路と、
前記初期化電圧発生回路が出力する電圧が前記第１電源に逆流するのを防止する第１ダイオード（Ｄ１１）と、
前記プラズマディスプレイパネルの容量性負荷と共振し、前記プラズマディスプレイパネルに蓄えられた電力を回収する第１電力回収回路と、
前記回収した電力を前記プラズマディスプレイパネルに供給する第２電力回収回路と、
前記第１電源から前記走査電極へ流れる電流を遮断しつつ前記第１電源への電流の流入を可能とする第３ダイオード（Ｄ１１０）と、
該第３ダイオード（Ｄ１１０）と直列に接続され、前記第１電源への電流の流入／遮断を制御するスイッチング素子（Ｓ１１０）とを備える、
プラズマディスプレイパネルの駆動回路。
【請求項１６】
複数の走査電極および維持電極を有するプラズマディスプレイパネルを駆動する駆動回路であって、
高圧側に配置された主スイッチング素子と、低圧側に配置された主スイッチング素子とを含み、第１電源からの出力電圧に基づいて前記主スイッチング素子を動作させることでパルス電圧を生成し、該パルス電圧を前記プラズマディスプレイパネルの走査電極および／または維持電極に対して印加するパルス電圧発生回路と、
前記第１電源の出力電圧よりも低い電圧を出力する第３電源からの出力電圧に基づいて第２初期化電圧を生成し、前記プラズマディスプレイパネルに印加する第２初期化電圧発生回路と、
前記第２初期化電圧発生回路が出力する電圧が前記第１電源に逆流するのを防止する第２ダイオード（Ｄ１２）と、
前記プラズマディスプレイパネルの容量性負荷と共振し、前記プラズマディスプレイパネルに蓄えられた電力を回収する第１電力回収回路と、
前記回収した電力を前記プラズマディスプレイパネルに供給する第２電力回収回路と、
前記第１電源からグランドへ流入する電流を遮断する第４ダイオード（Ｄ１２０）と、
該第４ダイオード（Ｄ１２０）と直列に接続され、前記グランドから第４ダイオード（Ｄ１２０）を介した電流の流出／遮断を制御する第４スイッチング素子（Ｓ１１０）とを備えた、
プラズマディスプレイパネルの駆動回路。
【請求項１７】
複数の走査電極および維持電極を有するプラズマディスプレイパネルを駆動する駆動回路であって、
高圧側に配置されたハイサイド主スイッチング素子（Ｓ５）と、低圧側に配置されたローサイド主スイッチング素子（Ｓ６）とを含み、第１電源（Ｖ１）からの出力電圧に基づいて前記主スイッチング素子を動作させることでパルス電圧を生成し、該パルス電圧を前記プラズマディスプレイパネルの走査電極および維持電極に対して印加するパルス電圧発生回路と、
前記第１電源の出力電圧よりも高い電圧を出力する第２電源（Ｖ２）からの出力電圧（Ｖset）に基づいて第１の初期化電圧を生成し、前記プラズマディスプレイパネルに対して印加する第１初期化電圧発生回路（Ｖ２，Ｓ２１）と、
前記第１電源の出力電圧よりも低い電圧を出力する第３電源（Ｖ３）からの出力電圧（Ｖad）に基づいて第２の初期化電圧を生成し、前記プラズマディスプレイパネルに印加する第２初期化電圧発生回路（Ｖ３，Ｓ２２）と、
前記ハイサイド主スイッチング素子（Ｓ５）の低圧側に接続され、前記初期化電圧発生回路が出力する電圧が前記第１電源に逆流するのを防止するダイオード（Ｄ１１）と、
該ダイオードに並列に接続されたスイッチング素子（Ｓ１１）と、
主放電経路内に挿入され、前記第２初期化電圧発生回路が出力する電圧が前記第１電源の基準電位に逆流するのを防止するスイッチング素子（Ｓ９）と、
前記プラズマディスプレイパネルの容量性負荷に蓄えられた電力を回収する第１電力回収回路（C1,S2,D2,L1B）と、
回収した電力を前記プラズマディスプレイパネルに供給する第２電力回収回路（C1,S1,D1,L1A）と、
書き込み放電のための電圧を印加すべき走査電極を選択する回路であって高圧側と低圧側の入力端子を有するスキャンＩＣ（IC31）とを備え、
前記第２電力回収回路は、前記ハイサイド主スイッチング素子と前記ダイオードとの接続点に接続され、
前記第１電力回収回路は、前記ダイオードにおける、前記ハイサイド主スイッチング素子と接続されていない側の端子に接続され、
前記スキャンＩＣの高圧側に前記第１初期化発生回路が接続され、
前記スキャンＩＣの低圧側に前記第２初期化発生回路が接続される、
プラズマディスプレイパネルの駆動回路。
【請求項１８】
複数の走査電極および維持電極を有するプラズマディスプレイパネルと、
該プラズマディスプレイパネルを駆動する、請求項１、８、１５、１６または１７に記載のプラズマディスプレイパネルの駆動回路とを備える、プラズマディスプレイ装置。
【手続補正２】
【補正対象書類名】明細書
【補正対象項目名】００２５
【補正方法】変更
【補正の内容】
【００２５】
本発明の第２の態様において、ＰＤＰの駆動回路は、高圧側に配置された主スイッチング素子と、低圧側に配置された主スイッチング素子とを含み、第１電源からの出力電圧に基づいて前記主スイッチング素子を動作させることでパルス電圧を生成し、パルス電圧を前記プラズマディスプレイパネルの走査電極および／または維持電極に対して印加するパルス電圧発生回路と、第１電源の出力電圧よりも低い電圧を出力する第３電源からの出力電圧に基づいて第２の初期化電圧を生成し、前記プラズマディスプレイパネルに印加する第２初期化電圧発生回路と、第２初期化電圧発生回路が出力する電圧が前記第１電源に逆流するのを防止する第２ダイオードと、第２のダイオードに並列に接続された第２スイッチング素子とを含む。
【手続補正３】
【補正対象書類名】明細書
【補正対象項目名】００２７
【補正方法】変更
【補正の内容】
【００２７】
本発明の第４の態様において、ＰＤＰの駆動回路は、高圧側に配置された主スイッチング素子と、低圧側に配置された主スイッチング素子とを含み、第１電源からの出力電圧に基づいて主スイッチング素子を動作させることでパルス電圧を生成し、パルス電圧を前記プラズマディスプレイパネルの走査電極および／または維持電極に対して印加するパルス電圧発生回路と、第１電源の出力電圧よりも低い電圧を出力する第３電源からの出力電圧に基づいて第２初期化電圧を生成し、プラズマディスプレイパネルに印加する第２初期化電圧発生回路と、第２初期化電圧発生回路が出力する電圧が第１電源に逆流するのを防止する第２ダイオードと、プラズマディスプレイパネルの容量性負荷と共振し、前記プラズマディスプレイパネルに蓄えられた電力を回収する第１電力回収回路と、回収した電力を前記プラズマディスプレイパネルに供給する第２電力回収回路と、第１電源からグランドへ流入する電流を遮断する第４ダイオードと、第４ダイオードと直列に接続され、グランドから第４ダイオードを介した電流の流出／遮断を制御する第４スイッチング素子とを備える。